(57)【要約】【課題】帰宅後に移動体搭載蓄電池の急速充電を行う場合であっても電力基本料金を決定するピーク電力を超えずに充電することができる蓄電システム及び移動体搭載蓄電池の充電制御方法を提供する。【解決手段】少なくとも系統からの商用電力を蓄える固定蓄電池５０と、移動体搭載蓄電池３０の電力で駆動する移動体３と、固定蓄電池５０及び移動体搭載蓄電池３０に対する充放電制御を行うコントローラ２００と、を具備し、コントローラ２００は、移動体３から、移動体搭載蓄電池３０の蓄電池残量及び帰宅時刻を含む移動体情報を受信すると、帰宅時刻からの充電時間帯における移動体搭載蓄電池３０の充電中に商用電力がピーク電力を超える場合があると予測される場合、帰宅時刻までの間にピーク電力を超える電力分、固定蓄電池５０に対してピークカット充電による先行充電を行わせる。【選択図】図１
2019062618.tif 000002
【特許請求の範囲】
【請求項１】
少なくとも系統からの商用電力を蓄える固定蓄電池と；
移動体搭載蓄電池の電力で駆動する移動体と；
前記固定蓄電池及び前記移動体搭載蓄電池に対する充放電制御を行う制御装置と；
を具備する蓄電システムであって、
前記制御装置は、前記移動体搭載蓄電池の蓄電池残量及び帰宅時刻を含む移動体情報を受信すると、前記帰宅時刻からの充電時間帯における前記移動体搭載蓄電池の充電中に商用電力がピーク電力を超える場合があると予測される場合、前記帰宅時刻までの間にピーク電力を超える電力分、前記固定蓄電池に対してピークカット充電による先行充電を行わせる制御部；
を具備する蓄電システム。
【請求項２】
少なくとも系統からの商用電力を蓄える固定蓄電池と；
移動体搭載蓄電池の電力で駆動する移動体と；
前記固定蓄電池及び前記移動体搭載蓄電池に対する充放電制御を行う制御装置と；
電力管理を行う管理サーバと；
を具備し、前記移動体、前記制御装置及び前記管理サーバがネットワークに接続された蓄電システムであって、
前記管理サーバは、前記移動体搭載蓄電池の蓄電池残量及び帰宅時刻を含む移動体情報を受信すると、前記帰宅時刻からの充電時間帯における前記移動体搭載蓄電池の充電中に商用電力がピーク電力を超える場合があると予測される場合、前記帰宅時刻までの間にピーク電力を超える電力分、前記固定蓄電池に対してピークカット充電による先行充電を行わせる充電指示を前記制御装置に送信する制御部；
を具備する蓄電システム。
【請求項３】
前記移動体情報には、急速充電モードと通常充電モードとのいずれかを選択したモード情報が含まれ、
前記制御部は、前記モード情報が急速充電モードであって、前記充電時間帯でピーク電力を超える場合、前記帰宅時刻までの間で前記固定蓄電池に対してピークカット充電による先行充電を行わせるとともに、前記帰宅時刻後、前記固定蓄電池に蓄えられた電力を用いて前記移動体搭載蓄電池に対するピークカット充電を行わせ、前記モード情報が急速充電モードであって、前記充電時間帯でピーク電力を超えない場合、又は前記モード情報が通常充電モードである場合、帰宅時刻後に、前記移動体搭載蓄電池に対してピークカット充電を行わせる請求項１または２に記載の蓄電システム。
【請求項４】
前記移動体は、定期的に前記移動体情報を送信する請求項１〜３のいずれか一つに記載の蓄電システム。
【請求項５】
少なくとも系統からの商用電力を蓄える固定蓄電池と；
移動体搭載蓄電池の電力で駆動する移動体と；
前記固定蓄電池及び前記移動体搭載蓄電池に対する充放電制御を行う制御装置と；
を具備する蓄電システムにおける移動体搭載蓄電池の充電制御方法であって、
前記制御装置は、前記移動体から、前記移動体搭載蓄電池の蓄電池残量及び帰宅時刻を含む移動体情報を受信すると、前記帰宅時刻からの充電時間帯における前記移動体搭載蓄電池の充電中に商用電力がピーク電力を超える場合があると予測される場合、前記帰宅時刻までの間にピーク電力を超える電力分、前記固定蓄電池に対してピークカット充電による先行充電を行わせる移動体搭載蓄電池の充電制御方法。
【発明の詳細な説明】
【技術分野】
【０００１】
本発明の実施形態は、蓄電システム及び移動体搭載蓄電池の充電制御方法に関する。
【背景技術】
【０００２】
近年、太陽光発電技術の普及に伴い、一般家庭でも太陽光パネル等の発電設備と蓄電池とを家屋に設置して、発電および充電を行い、電力を利用する蓄電システムが増えている。蓄電システムは、商用電源からの電力供給が停止した停電時に、蓄電池に蓄えられた電力を負荷に供給するよう制御を実行する。
【０００３】
また、近年、電気自動車（ＥＶ）やプラグインハイブリッド車（ＰＨＶ）が普及し、蓄電システムは、これらの移動体に搭載される移動体搭載蓄電池に対する充放電も行う。そして、これらの移動体は蓄電システムの蓄電池としても機能する。
【０００４】
なお、特許文献１には、予想太陽光発電量、車両用蓄電池の予想充電量を算出して充電が必要な場合に太陽光伝発電が車両用蓄電池へ供給されるように電力の配分を制御する電力供給配分制御装置が記載されている。
【先行技術文献】
【特許文献】
【０００５】
【特許文献１】特開２０１０−２６８５７６号公報
【発明の概要】
【発明が解決しようとする課題】
【０００６】
ところで、移動体での帰宅時に移動体搭載蓄電池の充電を行う場合、太陽光発電及び宅内消費の状態により、系統から買電する場合が発生する。特に、帰宅後再び移動体で外出する場合、帰宅後、直ぐに移動体搭載蓄電池を急速充電する必要がある。この場合、買電電力が、契約したピーク電力を超過する場合が発生し、経済的に不利になる。
【０００７】
本発明が解決しようとする課題は、帰宅後に移動体搭載蓄電池の急速充電を行う場合であっても電力基本料金を決定するピーク電力を超えずに充電することができる蓄電システム及び移動体搭載蓄電池の充電制御方法を提供することである。
【課題を解決するための手段】
【０００８】
実施形態に係る蓄電システムは、少なくとも系統からの商用電力を蓄える固定蓄電池と、移動体搭載蓄電池の電力で駆動する移動体と、前記固定蓄電池及び前記移動体搭載蓄電池に対する充放電制御を行う制御装置と、を具備する。前記制御装置は、前記移動体から、前記移動体搭載蓄電池の蓄電池残量及び帰宅時刻を含む移動体情報を受信すると、前記帰宅時刻からの充電時間帯における前記移動体搭載蓄電池の充電中に商用電力がピーク電力を超える場合があると予測される場合、前記帰宅時刻までの間にピーク電力を超える電力分、前記固定蓄電池に対してピークカット充電による先行充電を行わせる制御部を具備する。
【図面の簡単な説明】
【０００９】
【図１】図１は、実施形態に係る蓄電システムの概念及び構成の一例を示す図である。
【図２】図２は、実施形態に係る蓄電システムが備えるコントローラの構成の一例を示す図である。
【図３】図３は、実施形態に係る蓄電システムが備える移動体の構成の一例を示す図である。
【図４】図４は、実施形態に係る蓄電システムによる移動体搭載蓄電池の充電制御処理手順の一例を示すフローチャートである。
【図５】図５は、実施形態の変形例に係る蓄電システムの構成の一例を示す図である。
【発明を実施するための形態】
【００１０】
以下で説明する実施形態に係る蓄電システム１は、少なくとも系統からの商用電力を蓄える固定蓄電池５０と、移動体搭載蓄電池３０の電力で駆動する移動体３と、固定蓄電池及び移動体搭載蓄電池に対する充放電制御を行う制御装置（コントローラ２００）と、を具備する。制御装置は、移動体搭載蓄電池の蓄電池残量及び帰宅時刻を含む移動体情報を受信すると、帰宅時刻からの充電時間帯における移動体搭載蓄電池の充電中に商用電力がピーク電力を超える場合があると予測される場合、帰宅時刻までの間にピーク電力を超える電力分、固定蓄電池に対してピークカット充電による先行充電を行わせる制御部２４０を具備する。
【００１１】
また、以下で説明する実施形態に係る蓄電システム１は、少なくとも系統からの商用電力を蓄える固定蓄電池５０と、移動体搭載蓄電池３０の電力で駆動する移動体３と、固定蓄電池及び移動体搭載蓄電池に対する充放電制御を行う制御装置（コントローラ２００）と、電力管理を行う管理サーバ２と、を具備し、移動体、制御装置及び管理サーバがネットワークＮに接続される。管理サーバは、移動体搭載蓄電池の蓄電池残量及び帰宅時刻を含む移動体情報を受信すると、帰宅時刻からの充電時間帯における移動体搭載蓄電池の充電中に商用電力がピーク電力を超える場合があると予測される場合、帰宅時刻までの間にピーク電力を超える電力分、固定蓄電池に対してピークカット充電による先行充電を行わせる充電指示を制御装置に送信する制御部を具備する。
【００１２】
また、以下で説明する実施形態に係る蓄電システム１は、移動体情報には、急速充電モードと通常充電モードとのいずれかを選択したモード情報が含まれ、制御部２４０は、モード情報が急速充電モードであって、充電時間帯でピーク電力を超える場合、帰宅時刻までの間で固定蓄電池に対してピークカット充電による先行充電を行わせるとともに、帰宅時刻後、固定蓄電池に蓄えられた電力を用いて移動体搭載蓄電池に対するピークカット充電を行わせ、モード情報が急速充電モードであって、充電時間帯でピーク電力を超えない場合、又はモード情報が通常充電モードである場合、帰宅時刻後に、移動体搭載蓄電池に対してピークカット充電を行わせる。
【００１３】
また、以下で説明する実施形態に係る蓄電システム１が具備する移動体３は、定期的に移動体情報を送信する。
【００１４】
また、以下で説明する実施形態に係る移動体搭載蓄電池の充電制御方法は、少なくとも系統からの商用電力を蓄える固定蓄電池５０と、移動体搭載蓄電池３０の電力で駆動する移動体３と、固定蓄電池及び移動体搭載蓄電池に対する充放電制御を行う制御装置（コントローラ２００）とを具備する。制御装置は、移動体から、移動体搭載蓄電池の蓄電池残量及び帰宅時刻を含む移動体情報を受信すると、帰宅時刻からの充電時間帯における移動体搭載蓄電池の充電中に商用電力がピーク電力を超える場合があると予測される場合、帰宅時刻までの間にピーク電力を超える電力分、固定蓄電池に対してピークカット充電による先行充電を行わせる。
【００１５】
以下に、本発明に係る蓄電システム及び移動体搭載蓄電池の充電制御方法の実施形態を図面を参照して詳細に説明する。実施形態において同一の機能を有する構成には同一の符号を付し、重複する説明を省略する。
【００１６】
（実施形態）
まず、本実施形態に係る蓄電システムの概念について説明する。図１は、実施形態に係る蓄電システム１の概念及び構成の一例を示す図である。図１に示すように、移動体搭載蓄電池３０の電力を用いて駆動する移動体３は、ネットワークＮを介してコントローラ２００に移動体情報を送信する（ステップＳ１）。移動体情報には、移動体搭載蓄電池３０の蓄電池残量及び帰宅時刻が含まれる。コントローラ２００は、移動体情報を受信すると、帰宅時刻からの充電時間帯における移動体搭載蓄電池の充電中に商用電力がピーク電力を超えるか否かの判定を行う（ステップＳ２）。コントローラ２００は、ピーク電力を超えると判定した場合、現在時刻から帰宅時刻までの間にピーク電力を超える電力分、固定蓄電池５０に対してピークカット充電による先行充電を行わせる（ステップＳ３）。その後、移動体３が帰宅して充電プラグ３０ａが移動体搭載蓄電池３０に接続されると、先行充電された固定蓄電池５０の電力を用い、ピーク電力を超えずに移動体搭載蓄電池３０を充電する（ステップＳ４）。
【００１７】
上記一連の処理を行うことにより、帰宅後に移動体搭載蓄電池３０の急速充電を行う場合であっても電力基本料金を決定するピーク電力を超えずに充電することができる。
【００１８】
［実施形態に係る蓄電システム１の構成の一例］
図１に示すように、蓄電システム１は、ユーザ（需要家）の住宅ＨＭに設けられ、例えば屋根に設置した太陽光パネルＰＮ（発電装置）により生成される電力を、住宅ＨＭ内で消費したり、固定蓄電池５０に蓄えたりすることができる。
【００１９】
蓄電システム１は、太陽光パネルＰＮと、接続箱ＢＸと、パワーコンディショナ１００と、コントローラ２００と、固定蓄電池５０と、分電盤ＤＰと、電力メータＭＴと、ホームゲートウェイ３００とを具備する。また、図１に示す蓄電システム１において、コントローラ２００は、ホームゲートウェイ３００及びインターネットなどのネットワークＮを介して、移動体搭載蓄電池３０の電力を用いて駆動する移動体３に接続される。なお、移動体搭載蓄電池３０は、充電プラグ３０ａを接続することによって充電される。
【００２０】
太陽光パネルＰＮは、自然エネルギーに基づいて電力を生成することができる発電装置の一例である。太陽光パネルＰＮは、例えば、太陽電池素子（セル）を必要枚数配列し、樹脂や強化ガラスなどによりパッケージ化した太陽電池モジュールであり、ソーラーパネルとも呼ばれる。なお、太陽光パネルＰＮに用いられるセルは、どのようなセルであってもよい。例えば、太陽光パネルＰＮに用いられるセルは、シリコン系のセルや化合物系のセルや有機系のセルなど、目的に応じて種々のセルが適宜選択されてもよい。また、本実施形態では、発電装置の例として太陽光パネルＰＮを用いて説明するが、自然エネルギーを用いて電力を生成することができるものであれば、本実施形態の発電装置は、太陽光パネルＰＮに限定されない。発電装置は、たとえば、ガス、風力、水力等を用いて電力を生成する装置であってもよい。また、ガス、風力、水力等を用いて電力を生成する装置を発電装置として用いる場合、ガス、風力、水力等による発電開始のタイミングに基づいて電源制御を行う。なお、以下の記載中、太陽光発電装置をＰＶ（Photovoltaic）装置とも呼ぶ。なお、発電装置は、宅外で直接系統に接続されるものであってもよい。この場合、発電装置は、コントローラ２００による制御を受けない。
【００２１】
接続箱ＢＸは、例えば、太陽光パネルＰＮで発電した電力を集める装置である。接続箱ＢＸは、太陽光パネルＰＮからの複数の配線を１つに集約し、パワーコンディショナ１００に送信する。なお、接続箱ＢＸは、パワーコンディショナ１００と一体であってもよい。
【００２２】
パワーコンディショナ１００は、パワコン、ＰＣＳ（Power  Conditioning  System）とも称される。パワーコンディショナ１００は、太陽光パネルＰＮから接続箱ＢＸを経由して送信される電力を、住宅ＨＭ内の電気機器ＬＤなどで利用可能にする電力変換装置である。例えば、パワーコンディショナ１００は、太陽光パネルＰＮから接続箱ＢＸを経由して送信される直流電力を交流電力に変換する。また、例えば、パワーコンディショナ１００は、交流電力に変換した後、電力を、住宅ＨＭ内での利用や、固定蓄電池５０への充電や、商用電源ＣＰへの売電などに対応した電力に変換する調整を行う。
【００２３】
コントローラ２００は、パワーコンディショナ１００による充放電を制御する。また、コントローラ２００は、蓄電システム１における各種情報をユーザに通知したり、蓄電システム１に対するユーザの操作を受け付けたりする。また、コントローラ２００は、ホームゲートウェイ３００及びネットワークＮを介して移動体３に接続される。
【００２４】
固定蓄電池５０は、住宅ＨＭで用いられる二次電池（バッテリ）である。例えば、固定蓄電池５０は、パワーコンディショナ１００から供給される電力により充電される。また、例えば、固定蓄電池５０は、蓄えた電力をパワーコンディショナ１００や分電盤ＤＰを経由して住宅ＨＭ内の電気機器ＬＤ及び系統電力に供給する。なお、固定蓄電池５０は、充電を行うことにより電気を蓄えることができ、繰り返し充放電して使用することが出来る電池であればどのような電池であってもよい。例えば、固定蓄電池５０としては、リチウムイオン電池や鉛電池やニッケル水素電池など、目的に応じて種々の蓄電池が適宜選択されてもよい。
【００２５】
分電盤ＤＰは、住宅ＨＭの配線に電気を分ける装置である。例えば、分電盤ＤＰは、漏電遮断器や配線用遮断器等の種々の機器を含む。例えば、分電盤ＤＰは、パワーコンディショナ１００で交流に変換された電力を住宅ＨＭの電気機器ＬＤや移動体搭載蓄電池３０に供給したり、太陽光パネルＰＮにおいて発電された電力の余剰分を電力会社の商用電源ＣＰへ供給したりする。また、例えば、分電盤ＤＰは、買電時、すなわち商用電源ＣＰからの電力供給を受けている時は、商用電源ＣＰから供給された電力を住宅ＨＭの電気機器ＬＤに供給する。
【００２６】
電力メータＭＴは、商用電源ＣＰ側へ供給した電力、すなわち売電した電力や、商用電源ＣＰから供給された電力、すなわち商用電源ＣＰから買電した電力を計量するメータである。例えば、電力メータＭＴは、売電した電力を計量するメータと、買電した電力を計量するメータとを各々含んでもよい。例えば、電力メータＭＴは、分電盤ＤＰと商用電源ＣＰとの間に設けられ、売電した電力を計量したり、買電した電力を計量したりする。なお、住宅ＨＭの需要者は、基本料金をピーク電力で契約している。したがって、ピーク電力を超えないように買電すると経済的である。
【００２７】
ホームゲートウェイ３００は、蓄電システム１の宅内機器と外部のネットワークＮとの間を通信接続する。
【００２８】
移動体３は、移動体搭載蓄電池３０の電力を用いて駆動する、電気自動車やプラグインハイブリッド自動車等である。移動体搭載蓄電池３０は、固定蓄電池５０と同等な機能を有する。したがって、移動体搭載蓄電池３０は、固定蓄電池５０の代替あるいは拡張した機能として用いることができる。
【００２９】
［コントローラ２００の構成の一例］
図２は、実施形態に係る蓄電システム１が備えるコントローラ２００の構成の一例を示す図である。図２には、実施形態に係るコントローラ２００の構成のうち、移動体搭載蓄電池３０の充電制御処理に関連する構成のみを図示し、他のコントローラ２００の構成については図示を省略する。図２に示すように、コントローラ２００は、出力部２１０と、入力部２２０と、通信部２３０と、制御部２４０と、記憶部２５０と、を有する。
【００３０】
出力部２１０は、音声または画像によって情報を表示する構成及び機能を有してよい。例えば、出力部２１０は、情報を表示するモニタであってもよいし、情報を音として出力するスピーカであってもよい。出力部２１０はたとえば、パワーコンディショナ１００から受信した各種情報を出力する。
【００３１】
入力部２２０は、出力部２１０が出力するアラートやメッセージに応じた入力を受けつける。たとえば、ユーザは、入力部２２０から、アラートやメッセージに対する指示を入力することができる。入力部２２０は、たとえば、キーボード、タッチパネル、マイクロフォン等の外部からの入力を受け付けることができる装置である。なお、コントローラ２００は、パワーコンディショナ１００と一体であってもよい。
【００３２】
通信部２３０は、たとえば、所定の通信回路等によって実現される。たとえば、通信部２３０は、パワーコンディショナ１００及びホームゲートウェイ３００と通信可能である。
【００３３】
記憶部２５０は、たとえば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部２５０は、図２に示すように、電力使用状態履歴Ｄ１を有する。電力使用状態履歴Ｄ１は、充放電、負荷消費、発電、買電、売電などの電力管理に用いられる履歴である。
【００３４】
制御部２４０は、パワーコンディショナ１００の各部の動作および機能を制御する。制御部２４０は、各種の処理手順などを規定したプログラムを記憶する内部メモリを有し、種々の処理を制御する。たとえば、制御部２４０は、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などであってもよい。図２の例では、要求受付部２４１及び充放電制御部２４２を有する。
【００３５】
要求受付部２４１は、入力部２２０及び移動体３からの情報や要求を受け付ける。例えば、要求受付部２４１は、移動体３からの移動体情報を受け付ける。
【００３６】
充放電制御部２４２は、太陽光パネルＰＮの発電状態、負荷ＬＤの電力消費状態、固定蓄電池５０の蓄電状態に応じてパワーコンディショナ１００の充放電処理を制御する。また、充放電制御部２４２は、移動体３から、移動体搭載蓄電池３０の蓄電池残量及び帰宅時刻を含む移動体情報を受信すると、帰宅時刻からの充電時間帯における移動体搭載蓄電池３０の充電中に商用電力がピーク電力を超える場合があると予測される場合、帰宅時刻までの間にピーク電力を超える電力分、固定蓄電池５０に対してピークカット充電による先行充電を行わせる。また、充放電制御部２４２は、ピーク電力を超えないように、固定蓄電池５０の充放電、あるいは太陽光パネルＰＮからの発電出力を制御する。
【００３７】
［移動体３の構成の一例］
図３は、実施形態に係る蓄電システム１が備える移動体３の構成の一例を示す図である。図３に示すように、移動体３は、移動体本体１０及び携帯端末２０を有する。携帯端末２０は、移動体本体１０に通信接続される。
【００３８】
移動体本体１０は、記憶部１１、制御部１２、近距離通信部１３及び移動体搭載蓄電池３０を有する。記憶部１１は、移動体搭載蓄電池３０の蓄電池残量Ｄ１１を記憶する。制御部１２は、携帯端末２０が接続された状態で蓄電池残量Ｄ１１を携帯端末２０側に通知する。なお、近距離通信部１３は、ｂｌｕｅｔｏｏｔｈ（登録商標）などの近距離無線通信を行う通信インターフェースである。
【００３９】
携帯端末２０は、通信部２１、近距離通信部２２、入出力部２３、制御部２４及び記憶部２５を有する。通信部２１は、ネットワークＮと通信接続するための通信インターフェースである。近距離通信部２２は、移動体本体１０と近距離無線通信を行うための通信インターフェースである。入出力部２３は、各種情報の入力及び出力を行うための入出力デバイスである。例えば、入出力部２３は、タッチパネルによって実現される。制御部２４は、任意または定期的に移動体情報をコントローラ２００側に送信する移動体情報送信処理部２４ａを有する。移動体情報Ｄ２５は、記憶部２５に記憶される。
【００４０】
［蓄電システム１による移動体搭載蓄電池３０の充電制御手順の一例］
図４は、実施形態に係る蓄電システム１による移動体搭載蓄電池の充電制御処理手順の一例を示すフローチャートである。図４に示すように、まず、要求受付部２４１は、移動体３から、移動体情報を受信したか否かを判定する（ステップＳ１０１）。移動体情報を受信していない場合（ステップＳ１０１，Ｎｏ）、この判定処理を繰り返す。一方、移動体情報を受信している場合（ステップＳ１０１，Ｙｅｓ）、充放電制御部２４２は、移動体情報から、移動体搭載蓄電池３０の蓄電池残量、帰宅時刻及び充電モードを取得する（ステップＳ１０２）。さらに、充電モードは、急速充電モードか通常充電モードかを判定する（ステップＳ１０３）。
【００４１】
充電モードは、急速充電モードと通常充電モードとがあり、移動体情報を送信するユーザが選択するものである。急速充電モードは、帰宅後直ぐに急速充電を行うモードであり、例えば、帰宅後再度直ぐに移動体３で外出する場合に選択されるモードである。急速充電は単位時間あたりの電力が大きいため、ピーク電力を超える可能性がある。通常充電モードは、帰宅後、ピークカット充電を行うモードであり、例えば、充電時間が長くなってもよい夜間充電を行う場合に選択されるモードである。
【００４２】
充電モードが急速充電モードである場合（ステップＳ１０３，急速充電モード）、さらに、電力使用状態履歴Ｄ１を参照して、帰宅時刻後の充電時間帯の発電予測及び需要予測などの電力推移予測を行って、帰宅時刻後の充電時間帯における移動体搭載蓄電池３０への充電を行うとピーク電力を超えるか否かを判定する（ステップＳ１０４）。
【００４３】
ピーク電力を超える場合（ステップＳ１０４，Ｙｅｓ）、固定蓄電池５０に対してピークカット充電による先行充電を行う（ステップＳ１０５）。この先行充電は、充電時間帯でピーク電力を超える電力分を、現在時刻から帰宅時刻までの間で、移動体搭載蓄電池３０に充電すべき電力量を、先行的に固定蓄電池５０に蓄電しておくものである。この先行充電時でも、ピーク電力を超えない充電制御が行われる。
【００４４】
その後、次の移動体情報を受信したか否かを判定する（ステップＳ１０６）。次の移動体情報を受信した場合（ステップＳ１０６，Ｙｅｓ）には、ステップＳ１０２に移行して新たな充電制御処理を行う。一方、次の移動体情報を受信しない場合（ステップＳ１０６，Ｎｏ）には、さらに、移動体搭載蓄電池３０の充電が開始されたか否かを判定する（ステップＳ１０７）。移動体搭載蓄電池３０の充電が開始されていない場合（ステップＳ１０７，Ｎｏ）、ステップＳ１０５に移行して、ピークカット充電による先行充電の処理を継続する。一方、移動体搭載蓄電池３０の充電が開始された場合（ステップＳ１０７，Ｙｅｓ）には、固定蓄電池５０の電力の使用を含めたピークカット充電を行い（ステップＳ１０８）、本処理を終了する。
【００４５】
一方、充電モードが通常充電モードである場合（ステップＳ１０３，通常充電モード）、及び急速充電モードであってもピーク電力を超えない場合（ステップＳ１０４，Ｎｏ）、帰宅時刻まで何もせず、移動体搭載蓄電池３０の充電が開始されたか否かを判定する（ステップＳ１０９）。移動体搭載蓄電池３０の充電が開始されていない場合（ステップＳ１０９，Ｎｏ）、ステップＳ１０１に移行して上述した処理を繰り返す。一方、移動体搭載蓄電池３０の充電が開始された場合（ステップＳ１０９，Ｙｅｓ）、固定蓄電池５０の電力の使用を含めたピークカット充電を行い（ステップＳ１０８）、本処理を終了する。
【００４６】
なお、移動体情報に充電モードを含めなくても良い。移動体情報に充電モードが含まれない場合、ステップＳ１０３の処理が削除される。すなわち、移動体情報に充電モードが含まれない場合は、常に急速充電モードが選択されたものとして処理を行う。
【００４７】
また、移動体情報には、移動体の位置情報と蓄電池放電量とを含めても良い。蓄電池放電量は、現在位置から住宅ＨＭまでの移動距離によって消費される電力量である。移動体の移動経路は、例えば、地図情報を用いて演算すればよい。また、消費される電力量は、予め求められた距離あたりの電力量に、移動体の移動距離を乗算すればよい。これにより、さらに帰宅時刻における蓄電池残量を精度高く予測できる。
【００４８】
（変形例）
図５は、実施形態の変形例に係る蓄電システム１の構成の一例を示す図である。本変形例では、コントローラ２００が行っていた移動体搭載蓄電池３０の充電制御処理をネットワークＮに接続された管理サーバ２が行うようにしている。したがって、移動体３は、管理サーバ２に移動体情報を送信することになる。また、管理サーバ２は、移動体搭載蓄電池３０の充電制御処理に基づいて、コントローラ２００に充電制御指令を送信することになる。
【００４９】
管理サーバ２は、蓄電システム１のエネルギー制御状態を管理する。なお、管理サーバ２は、図示しない他のエネルギーリソースとエネルギー消費とのバランス調整を受けて蓄電システム１に対して売電の指示や買電の制限を指示できるものであってもよい。また、携帯端末２０に蓄電システム１の管理状態を通知するようにしてもよい。また、管理サーバ２は、クラウド上に形成される仮想の管理サーバであってもよい。
【００５０】
なお、上述した移動体情報は、移動体３から直接取得してもよいし、蓄電システム１を含むホームエネルギーマネージメントシステム内で各種負荷を制御するサーバ装置から取得してもよいし、移動体３の情報を集約するサーバ装置から取得してもよい。すなわち、移動体情報の取得は、任意の経路で取得してもよい。また、移動体情報は、上述したように、移動体３側から送信してもよいし、制御側が取得するようにしてもよい。
【００５１】
本実施形態では、コントローラ２００が、移動体搭載蓄電池３０の蓄電池残量及び帰宅時刻を含む移動体情報を受信すると、帰宅時刻からの充電時間帯における移動体搭載蓄電池３０の充電中に商用電力がピーク電力を超える場合があると予測される場合、帰宅時刻までの間にピーク電力を超える電力分、固定蓄電池５０に対してピークカット充電による先行充電を行わせるようにしている。この結果、帰宅後に移動体搭載蓄電池３０の急速充電を行う場合であっても、移動体搭載蓄電池３０は、電力基本料金を決定するピーク電力を超えずに充電されることになる。
【００５２】
また、本実施形態では、ユーザによって急速充電モードを選択させることによって、無駄な先行充電処理をなくすことができる。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１  蓄電システム
２  管理サーバ
３  移動体
１０  移動体本体
１１，２５，２５０  記憶部
１２，２４，２４０  制御部
１３，２２  近距離通信部
２０  携帯端末
２１，２３０  通信部
２３  入出力部
２４ａ  移動体情報送信処理部
３０  移動体搭載蓄電池
３０ａ  充電プラグ
５０  固定蓄電池
１００  パワーコンディショナ
２００  コントローラ
２１０  出力部
２２０  入力部
２４１  要求受付部
２４２  充放電制御部
３００  ホームゲートウェイ
ＢＸ  接続箱
ＣＰ  商用電源
ＤＰ  分電盤
Ｄ１  電力使用状態履歴
Ｄ１１  蓄電池残量
Ｄ２５  移動体情報
ＨＭ  住宅
ＬＤ  電気機器（負荷）
ＭＴ  電力メータ
Ｎ  ネットワーク
ＰＮ  太陽光パネル
【図１】
2019062618.tif 000003
【図２】
2019062618.tif 000004
【図３】
2019062618.tif 000005
【図４】
2019062618.tif 000006
【図５】
2019062618.tif 000007